(57)【特許請求の範囲】
【請求項１】
通話手段としてハンドセットを有する装置と、通話手段がハンドフリーからなる装置と、前記ハンドセットを有する装置または前記ハンドフリーからなる装置に接続された通話線に対応する音声信号の送受信回路を有し、各装置間の通話を行う通話制御装置とからなるインターホンシステムにおいて、
前記通話制御装置に、アドレス毎に通話手段の種別をまとめたデータベースを格納したメモリを設け、
前記通話制御装置は、前記装置からアドレス情報を含む制御信号が入力されて、前記装置間の通話を行う時、前記メモリにより、通話の少なくとも一方にハンドフリーからなる装置があるか否かを判別し、前記ハンドセットを有する装置間同士の通話を行う時は、通話の少なくとも一方にハンドフリーからなる装置が存在する時よりも、送受信回路同士が接続される回路系のゲインを小さくすることを特徴とするインターホンシステム。
【請求項２】
前記通話手段がハンドフリーからなる装置同士を接続する回路系のゲインを基準のゲインより大きく設定することを特徴とする請求項１記載のインターホンシステム。
【請求項３】
前記装置は、集合住宅の各住戸に設置された住戸インターホン又は共同玄関に設置された集合玄関インターホンからなり、前記住戸インターホンの中に、ハンドセットからなる通話手段とハンドフリーからなる通話手段とを混在させたことを特徴とする請求項１記載のインターホンシステム。
【発明の詳細な説明】
【０００１】
【発明の属する技術分野】
本発明は、複数の住戸からなる集合住宅に設けられたインターホンシステムに係り、さらに詳しくは、インターホンシステムを構成する各装置間で送受信される音声信号を、通話制御装置において適正な音量（音声）に調整し、良好な通話が行えるインターホンシステムに関するものである。
【０００２】
【従来の技術】
現在、例えばマンションおよびアパートの如き集合住宅においては、その集合住宅の例えば１階に設けられた共同玄関のドアの近傍に設置された集合玄関インターホン（集合玄関機）と、各住戸にそれぞれ設置された住戸インターホンと、集合住宅の例えば管理室に設置された通話制御装置および管理室インターホンとを有するインターホンシステムが備えられている。
【０００３】
そして、例えば来訪者が共同玄関先に設置された集合玄関インターホンで訪問先の住戸番号を入力して呼び出し操作を行うと、呼出信号が通話制御装置を介して呼び出された住戸の住戸インターホンに送られ、集合玄関インターホンと住戸インターホンとが通話制御装置を介して接続される。ついで、居住者が住戸インターホンの通話手段である送受話器をあげると、通話制御装置を介して集合玄関インターホンの通話手段である通話部が作動し、来訪者および居住者の間での通話が可能となる。また、居住者による住戸インターホンでの共同玄関のドアの解錠操作を行うと、通話制御装置および集合玄関インターホンを介して共同玄関のドアが開放され、来訪者が集合住宅内に入館可能となる。
【０００４】
【発明が解決しようとする課題】
上記のような従来のインターホンシステムは、集合玄関インターホンと住戸インターホンまたは管理室インターホンとの通話機能、および、住戸インターホンと管理室インターホンとの通話機能を備えており、各装置（住戸インターホン、管理室インターホンおよび集合玄関インターホン）間での通話は、通話制御装置を介して行われる。そして、各装置に設けられた通話手段としては、住戸インターホンおよび管理室インターホンには、把手部とその両端部に設けられた受話部および送話部とからなる送受話器（以下、ハンドセットという）がそれぞれ設けられ、集合玄関インターホンには、把手部分を有しないマイクおよびスピーカからなる通話部（以下、ハンドフリーという）が設けられている。また、各装置間で送受信される音声信号は、通話制御装置において、通話制御装置に設けられた増幅器の予め設定された一定のゲイン（増幅率）で調整される。
【０００５】
しかしながら、各装置の通話手段であるハンドセットとハンドフリーとでは、構造が異なるため、音声信号が一定のゲインで調整されてしまうと、入出力される音声に違いが出てしまい、特に通話先となる装置の通話手段によって、出力される音声がうるさく聞こえたりまたは小さくて聞き取りにくいなど、問題があった。
【０００６】
ここで、人の発する音声の適正なレベルを１００と仮定し、通話制御装置に設けられた増幅器のゲイン（増幅率）を１．２倍に設定する。この時、通話先は、聞こえた音声のレベルが１００より大きければうるさく聞こえ、１００より小さければ聞き取りにくく感じる。
【０００７】
例えば来訪者と居住者の間で集合玄関インターホンのハンドフリーと住戸インターホンのハンドセットを使って通話を行う場合、まず、来訪者がハンドフリーに向かって適正なレベルの１００で話すと、通話元である来訪者の口とハンドフリーのマイクとの距離が離れているため、ハンドフリーに入力される音声のレベルは１００より低い例えば８３．３となり、低いレベルのまま通話制御装置に出力される。ついで、通話制御装置は受信した低いレベル、８３．３の音声を増幅器によって１．２倍に増幅（８３．３×１．２倍＝１００）し、増幅レベル、１００の音声を住戸インターホンに出力する。そして、住戸インターホンは受信した増幅レベル１００の音声をハンドセットの受話部から出力し、通話先である居住者の耳とハンドセットの受話部との距離がほとんど離れていないため、増幅レベル１００の音声、つまり適正なレベルの音声が聞こえる。
【０００８】
また、居住者がハンドセットの送話部に向かって適正なレベルの１００で話すと、通話元である居住者の口とハンドセットの送話部との距離が離れていないため、適正なレベル１００の音声がそのまま通話制御装置に送られ、通話制御装置は音声を増幅器によって１．２倍に増幅（１００×１．２倍＝１２０）して、増幅レベル１２０の音声を集合玄関インターホンに出力する。集合玄関インターホンは受信した増幅レベル１２０の音声をハンドフリーのスピーカから出力するが、通話先である来訪者の耳とハンドフリーのスピーカとの距離が離れているとともに、周辺の音も同時に来訪者の耳に聞こえてくるため、増幅レベル１２０の音声はうるさく聞こえずほぼ適正なレベル１００の音声となって聞こえる。
【０００９】
一方、居住者と管理人の間で住戸インターホンのハンドセットと管理室インターホンのハンドセットとを使って通話を行った場合、それぞれのハンドセットの送話部と通話元である居住者または管理人の口との距離がほとんど離れていないため、ハンドセットの送話部から適正なレベル１００の音声がそのまま通話制御装置に送られ、通話制御装置は、その増幅器によって音声を１．２倍に増幅し、増幅レベル１２０の音声を住戸インターホンまたは管理室インターホンに出力する。そして、住戸インターホンまたは管理室インターホンは、受信した増幅レベル１２０の音声をハンドセットの受話部から出力するが、通話先である居住者または管理人の耳とハンドセットの受話部との距離がほとんど離れていないため、増幅レベル１２０の音声のまま聞こえてしまい、居住者または管理人はうるさく聞こえる。
【００１０】
このように、ハンドセットとハンドフリーの通話の場合は、入力された音声を一定のゲインで調整することによって、通話元および通話先の通話手段に対応したレベルの音声で通話を行うことができるが、ハンドセット同士の場合は、一定のゲインで調整されてしまうと、通話先の通話手段に対応しない不適正なレベルの音声で通話を行うことになってしまっていた。
【００１１】
そこで、各装置に機械的に適正なレベルの音声に調整するための調整手段をそれぞれ設けることが考えられるが、全ての装置に設けることは全体のコストをアップさせてしまうとともに、設置時等において全ての装置を適正なレベルの音声になるように調整しなければならないという問題がある。また、従来の各装置において、装置内部に調整手段が設けられているものがあるが、出荷時や設置時において調整されてしまうことが多く、利用者が容易に調整することができなかったため、上記のようなハンドセット同士の問題を解決するには至らなかった。さらに、住戸インターホンおよび管理室インターホンにおいては、音量を微調整するために用いられ外部から操作できる音量調整手段が設けられたものもあるが、例えばハンドセット同士の通話の場合は音量を下げる操作を行い、ハンドセットとハンドフリーとの通話の場合は音量を上げる操作を行うなど、通話毎に音量調整手段を操作しなければならないため、面倒であった。
【００１２】
本発明は、上記のような課題を解決するためになされたもので、各装置間で送受信される音声信号を、特定の装置同士の通話の場合に他の装置同士の通話の場合に対してゲインを小さくし、各装置の通話手段に合ったレベルの音量で良好な通話を行うことのできるインターホンシステムを提供することを目的としたものである。
【００１３】
【課題を解決するための手段】
本発明に係るインターホンシステムは、通話手段としてハンドセットを有する装置と、通話手段がハンドフリーからなる装置と、ハンドセットを有する装置またはハンドフリーからなる装置に接続された通話線に対応する音声信号の送受信回路を有し、各装置間の通話を行う通話制御装置とからなるインターホンシステムにおいて、通話制御装置に、アドレス毎に通話手段の種別をまとめたデータベースを格納したメモリを設け、通話制御装置は、装置からアドレス情報を含む制御信号が入力されて、装置間の通話を行う時、メモリにより、通話の少なくとも一方にハンドフリーからなる装置があるか否かを判別し、ハンドセットを有する装置間同士の通話を行う時は、通話の少なくとも一方にハンドフリーからなる装置が存在する時よりも、送受信回路同士が接続される回路系のゲインを小さくするものである。
【００１４】
本発明に係るインターホンシステムは、通話手段がハンドフリーからなる装置同士を接続する回路系のゲインを、基準のゲインより大きく設定するものである。
【００１５】
また、本発明に係るインターホンシステムの装置は、集合住宅の各住戸に設置された住戸インターホン又は共同玄関に設置された集合玄関インターホンからなり、住戸インターホンの中に、ハンドセットからなる通話手段とハンドフリーからなる通話手段とを混在させたものである。
【００１７】
【発明の実施の形態】
図１は本発明が適用されるインターホンシステムの構成を示す系統図、図２は本発明の実施の形態に係る通話制御装置の本発明の概念を示す模式図、図３は本発明の実施の形態に係る住戸インターホンの正面図、図４は本発明の実施の形態に係る集合玄関インターホンの正面図である。
【００１８】
図において、１は集合住宅の各住戸にそれぞれ設置された住戸インターホンで、集合住宅の共同玄関に設けられたドアを解錠させる機能と、自住戸の玄関ドアの近傍に設けられたドアホン（図示せず）、共同玄関および管理室との通話機能と、火災、ガス漏れおよび防犯等の警報機能と、住戸内に設置された火災感知器および防犯センサ等のドアホンを介しての遠隔試験機能等とを備えている。
【００１９】
そして、住戸インターホン１は、図３に示すように、来訪者および管理人等の通話時に用いられ通話手段であるハンドセット１１を備えており、把手部１１ａと、その両端部に設けられた受話部１１ｂおよび送話部１１ｃと、住戸インターホン１の本体内部と電気的に接続するためのコード１１ｄとを有している。また、住戸インターホン１は、後述する管理室インターホンおよび集合玄関インターホンからの呼び出し音、管理室からの放送および警報音などを流すスピーカ１２と、共同玄関のドアを解錠させるための解錠キー１３ａを含む複数のキーからなる操作部１３と、ハンドセット１１の受話部１１ｂから聞こえる音声の音量を微調整するために用いられ外部から操作できる音量つまみ１４と、本体内に設けられ住戸インターホン１の動作を制御する制御部（図示せず）とを備えている。
【００２０】
２は集合住宅の管理室に設置された管理室インターホンで、共同玄関のドアを解錠させる機能と、各住戸および共同玄関との通話機能と、各住戸における火災、ガス漏れおよび防犯等の警報機能と、各住戸への個別放送または集合住宅内での一斉放送機能等とを備えている。そして、管理室インターホン２は、図示していないが、住戸インターホン１のハンドセット１１と同様の構成を有し、来訪者または居住者の通話時に用いられる通話手段であるハンドセット２１（図１参照）と、住戸インターホン１および集合玄関インターホンからの呼び出し音および警報音などを流すスピーカと、共同玄関のドアを解錠させるための解錠キー、例えば住戸番号を入力するためのテンキー、テンキーで入力した住戸を呼び出すための呼出キーおよびキー入力を取り消すための取消キーを含む複数のキーからなる操作部と、操作部で入力した住戸番号等が表示される表示部と、ハンドセット２１の受話部から聞こえる音声の音量を微調整するための音量つまみと、管理室インターホン２の動作を制御する制御部とを備えている。
【００２１】
３は集合住宅の例えば１階にある共同玄関先に設置された集合玄関インターホンで、定常時には鎖錠状態となっている共同玄関のドアを解錠させる機能と、各住戸および管理室との通話機能等とを備えている。そして、集合玄関インターホン３は、図４に示すように、居住者および管理人等の通話時に用いられ通話手段である把手部を有しないマイクおよびスピーカからなる通話部からなるハンドフリー３１と、例えば住戸番号を入力するためのテンキー、テンキーで入力した住戸を呼び出すための呼出キーおよびキー入力を取り消すための取消キーを含む複数のキーからなる操作部３２と、操作部３２で入力した住戸番号等が表示される表示部３３と、例えば住戸呼び出しの手順が記載されている操作案内板３４と、居住者が共同玄関のドアを解錠する場合に用いられ、逆マスターキー（自住戸の玄関ドアの解錠キーであって、共同玄関ドアの解錠キーでもあるキー、即ち全ての各住戸の玄関ドアの解錠キーによって解錠されるキー）が差し込まれるキー差込口３５と、集合玄関インターホン３の動作を制御する制御部（図示せず）とを備えている。
【００２２】
４は集合住宅の例えば管理室に設置された通話制御装置で、各住戸、管理室および共同玄関における通話および通信制御機能と、共同玄関のドアの解錠指令制御機能等とを備えている。そして、通話制御装置４は、呼出信号等の制御信号が送受信される制御線Ｌ５１，Ｌ５２，Ｌ５３と、住戸インターホン１のハンドセット１１、管理室インターホン２のハンドセット２１および集合玄関インターホン３のハンドフリー３１で入出力される音声信号が送受信される通話線Ｌ６１，Ｌ６２，Ｌ６３とを介して、各住戸インターホン１、管理室インターホン２および集合玄関インターホン３に接続されている。
【００２３】
また、通話制御装置４は、集合玄関インターホン３などから制御線Ｌ５１，Ｌ５２，Ｌ５３を介して出力される制御信号から、その信号に付加されたアドレス情報を基にどこの装置から制御信号が出力されたのかを判断できるようになっている。即ち、通話制御装置４は、アドレス毎に、その設置場所、設置種別（ハンドフリー３１であるか否か）等をまとめたデータベースを図示しないメモリに格納しており、各インターホン１，２，３間で通話が行われる時、通話の少なくとも一方にハンドフリー３１からなる装置（集合玄関インターホン３）があるか否かを判別して、ハンドセット１１，２１を有する装置（住戸インターホン１，管理室インターホン２）間同士の通話を行う時は、通話の少なくとも一方にハンドフリー３１からなる装置（集合玄関インターホン３）が存在する時よりも、後述する送受信回路同士を接続する回路系のゲインを小さくするように制御する。
【００２４】
そして、上述した各住戸インターホン１、管理室インターホン２、集合玄関インターホン３および通話制御装置４によって、インターホンシステム１０が構成される。なお、管理室インターホン２は通話制御装置４と一体に構成してもよい。
【００２５】
ここで、まず、インターホンシステム１０の動作について、図１、図３および図４を参照しながら住戸インターホン１と集合玄関インターホン３との間の例で説明する。
例えば来訪者が共同玄関に設置されている集合玄関インターホン３の操作部３２のテンキーを操作し、訪問先の住戸番号例えば２０１を入力して、表示部３３に表示された住戸番号「２０１」を確認した後、操作部３２の呼出ボタンを押すと、入力された住戸番号２０１および自己のアドレス情報を含む呼出信号（制御信号）が、集合玄関インターホン３から制御線Ｌ５３を介して通話制御装置４に出力され、来訪者は訪問先からの応答を待つ。
【００２６】
通話制御装置４は、集合玄関インターホン３からの呼出信号（制御信号）を受信すると、呼出信号（制御信号）を、制御線Ｌ５１を介して訪問先（住戸番号２０１）である住戸の住戸インターホン１に送出する。
【００２７】
訪問先（住戸番号２０１）である住戸の住戸インターホン１は、通話制御装置４からの呼出信号（制御信号）を受信すると、住戸インターホン１のスピーカ１２から呼出音を発する。ついで、居住者によって住戸インターホン１に設けられたハンドセット１１が取り上げられ、ハンドセット１１により押下されていたフック（図示せず）が開放されると、住戸インターホン１は、接続スイッチ１５（図１参照）を接続するとともに、通話応答信号（制御信号）を、制御線Ｌ５１を介して通話制御装置４に送出する。
【００２８】
通話制御装置４は、住戸インターホン１からの通話応答信号（制御信号）を受信すると、集合玄関インターホン３に通話指令信号（制御信号）を制御線Ｌ５３を介して出力する。
【００２９】
集合玄関インターホン３は、通話制御装置４からの通話指令信号（制御信号）を受信すると、接続スイッチ３６（図１参照）を接続して通話線Ｌ６３，Ｌ６１による通話路を形成し、集合玄関インターホン３のハンドフリー３１を起動させて、来訪者および居住者との間の通話を可能にする。また、住戸インターホン１に設けられた操作部１３の解錠キー１３ａが押されると、住戸インターホン１から解除指令信号（制御信号）が制御線Ｌ５１、通話制御装置４および制御線Ｌ５３を介して集合玄関インターホン３に出力され、解錠指令信号（制御信号）を受信した集合玄関インターホン３は、共同玄関のドアを開放し、来訪者の入館を可能とする。
【００３０】
そして、通話が終了して住戸インターホン１のハンドセット１１が元に戻されフックが閉塞されると、住戸インターホン１は、接続スイッチ１５を開放し、通話終了信号（制御信号）を制御線Ｌ５１を介して通話制御装置４に出力する。通話制御装置４は、通話終了信号（制御信号）を受信すると、集合玄関インターホン３に通話終了指令信号（制御信号）を制御線Ｌ５３を介して出力する。また、通話終了指令信号（制御信号）を受信した集合玄関インターホン３は、接続スイッチ３６を開放して通話線Ｌ６１，Ｌ６３の接続を解放し、居住者と来訪者との通話路を遮断する。
【００３１】
なお、管理室インターホン２と集合玄関インターホン３との間で行われる動作、および、住戸インターホン１と管理室インターホン２との間で行われる動作も、上述の動作とほぼ同様である。
【００３２】
上記の説明によりインターホンシステム１０の動作が明らかになったところで、次に図２について説明する。
図２において、４１は通話制御装置４に設けられ住戸インターホン１の通話線Ｌ６１に対応する音声信号の送受信回路、４２は通話制御装置４に設けられ管理室インターホン２の通話線Ｌ６２に対応する音声信号の送受信回路、４３は通話制御装置４に設けられ集合玄関インターホン３の通話線Ｌ６３に対応する音声信号の送受信回路である。４４は通話制御装置４に設けられ通話制御装置４の動作を制御する制御部であるマイクロコンピュータ（以下、マイコンという）で、住戸インターホン１、管理室インターホン２および集合玄関インターホン３の制御線Ｌ５１，Ｌ５２，Ｌ５３に接続されている。Ｓ１〜Ｓ８はマイコン４４および各送受信回路４１，４２，４３にそれぞれ接続され、マイコン４４からの制御信号に基づいて通話元および通話先となる各送受信回路４１，４２，４３の接続を行う接続回路、Ｒ１，Ｒ２は送受信回路４２と接続回路Ｓ１，Ｓ３の間に設けられた抵抗で、送受信回路４２と接続回路Ｓ１または接続回路Ｓ３を通る特定の音声信号に対応するゲインを小さくする。
【００３３】
なお、送受信回路４２と接続回路Ｓ１または接続回路Ｓ３を通る特定の音声信号とは、住戸インターホン１のハンドセット１１と管理室インターホン２のハンドセット２１との間で通話される音声信号である。また、集合玄関インターホン３のハンドフリー３１と住戸インターホン１または管理室インターホン２のハンドセット１１，２１との間で通話される音声信号（これを他の音声信号という）および特定の音声信号は、例えば各送受信回路４１，４２，４３に設けられた増幅器（図示せず）によってゲイン調整されており、特定の音声以外の他の音声信号のゲインを基準とし、特定の音声信号を、抵抗Ｒ１，Ｒ２を介することによって他の音声信号よりもゲインを小さして調整するようになっている。即ち、住戸インターホン１と管理室インターホン２間の通話のように、ハンドセット１１，２１同士での通話では、音声信号のゲインを小さくし、少なくとも通話の一方に集合玄関インターホン３が存在する場合には、ゲインを高めに設定しておく。
【００３４】
次のこの実施の形態の作用について、図１，図２を参照しながら説明する。
例えば集合玄関インターホン３から住戸インターホン１を呼び出して、両者１，３間で通話を行う場合、通話制御装置４は、まず、住戸インターホン１および集合玄関インターホン３の制御線Ｌ５１，Ｌ５３を介して送られてきた、上述のインターホンシステム１０の動作における通話応答信号および通話指令信号等の制御信号を、マイコン４４で受信すると、その制御信号に基づいて通話元および通話先となる住戸インターホン１および集合玄関インターホン３のそれぞれの送受信回路４１，４３に対応する接続回路Ｓ５〜Ｓ８を接続させ、両者１，３間の通話を可能とする。
【００３５】
ついで、通話元である居住者が住戸インターホン１のハンドセット１１に向かって話すと、ハンドセット１１の送話部１１ｃと居住者の口との距離が離れていないため、音声はレベルが変わらずにハンドセット１１の送話部１１ｃから入力される。そして、住戸インターホン１は、入力された音声を音声信号に換え、通話線Ｌ６１を介して通話制御装置４に出力する。
【００３６】
通話制御装置４は、住戸インターホン１からの音声信号を送受信回路４１で受信すると、接続回路Ｓ７，Ｓ６を介して送受信回路４３から集合玄関インターホン３に出力する。この時、住戸インターホン１からレベルが変わらずに入力された音声信号は、特定の音声信号ではなく抵抗Ｒ１，Ｒ２を介さないため、基準のゲインで調整され、通話線Ｌ６３を介して集合玄関インターホン３に出力される。具体的には、ハンドフリー３１のスピーカから出力しても十分に聞こえるように、ある程度増幅して出力される。
【００３７】
集合玄関インターホン３は、通話制御装置４からの音声信号を受信すると、基準のゲインで調整された音声信号を音声に換え、通話先である集合玄関インターホン３のハンドフリー３１のスピーカから音声を出力する。この時、音声は、基準のゲインで調整されたものであるが、ハンドフリー３１のスピーカと来訪者の耳とは離れているとともに、周りの音なども同時に来訪者の耳に入ってくるため、来訪者にとって適正な音声となって聞こえる。
【００３８】
また、通話元である来訪者が集合玄関インターホン３のハンドフリー３１に向かって話すと、ハンドフリー３１のマイクと来訪者の口との距離が離れているため、音声はレベルが小さくなってハンドフリー３１のマイクから入力される。そして、集合玄関インターホン３は、入力された音声を音声信号に換え、通話線Ｌ６３を介して通話制御装置４に出力する。
【００３９】
通話制御装置４は、集合玄関インターホン３からの音声信号を送受信回路４３で受信すると、接続回路Ｓ５，Ｓ８を介して送受信回路４１から住戸インターホン１に出力する。この時、集合玄関インターホン３から低いレベルで入力された音声信号は、特定の音声信号ではなく抵抗Ｒ１，Ｒ２を介さないため、基準のゲインで調整され、通話線Ｌ６１を介して住戸インターホン１に出力される。つまり、ハンドフリー３１のために小さくなった音声レベルを、住戸側で十分に聞き取れるように増幅して出力する。
【００４０】
住戸インターホン１は、通話制御装置４からの音声信号を受信すると、基準のゲインで調整された音声信号を音声に換え、通話先である住戸インターホン１のハンドセット１１の受話部１１ｂから音声を出力する。この時、音声は、基準のゲインで調整されたものであるが、集合玄関インターホン３から出力された音声が低いレベルの音声であるとともに、ハンドセット１１の受話部１１ｂと居住者の耳とは離れていないため、居住者にそのまま適正な音声として聞こえる。
【００４１】
一方、住戸インターホン１と管理室インターホン２との間で通話を行う場合、通話制御装置４は、まず、住戸インターホン１および管理室インターホン２の制御線Ｌ５１，Ｌ５２を介して送られてきた制御信号を、マイコン４４で受信すると、その制御信号に基づいて通話元および通話先となる住戸インターホン１および管理室インターホン２のそれぞれの送受信回路４１，４２に対応する接続回路Ｓ１，Ｓ３，Ｓ７，Ｓ８を接続させ、両者１，２間の通話を可能とする。
【００４２】
ついで、通話元である居住者が住戸インターホン１のハンドセット１１に向かって話すと、ハンドセット１１の送話部１１ｃと居住者の口との距離が離れていないため、音声はレベルが変わらずにハンドセット１１の送話部１１ｃから入力される。そして、住戸インターホン１は、入力された音声を音声信号に換え、通話線Ｌ６１を介して通話制御装置４に出力する。
【００４３】
通話制御装置４は、住戸インターホン１からの音声信号を送受信回路４１で受信すると、接続回路Ｓ７，Ｓ３を介して送受信回路４２から管理室インターホン２に出力する。この時、住戸インターホン１からレベルが変わらずに入力された音声信号は、特定の音声信号であって抵抗Ｒ２を介するため、大きめに設定された基準のゲインより小さいゲインで調整され、通話線Ｌ６２を介して管理室インターホン２に出力される。
【００４４】
管理室インターホン２は、通話制御装置４からの音声信号を受信すると、基準のゲインより小さいゲインで調整された音声信号を音声に換え、通話先である管理室インターホン２のハンドセット２１の受話部から音声を出力する。この時、音声は、基準のゲインより小さいゲインで調整されたものであるとともに、ハンドセット２１の受話部と管理人の耳とは離れていないため、管理人にそのまま適正な音声として聞こえる。
【００４５】
また、通話元である管理人が管理室インターホン２のハンドセット２１に向かって話すと、ハンドセット２１の送話部と管理人の口との距離が離れていないため、音声はレベルが変わらずにハンドセット２１の送話部から入力される。そして、管理室インターホン２は、入力された音声を音声信号に換え、通話線Ｌ６２を介して通話制御装置４に出力する。
【００４６】
通話制御装置４は、管理室インターホン２からの音声信号を送受信回路４２で受信すると、接続回路Ｓ１，Ｓ８を介して送受信回路４１から住戸インターホン１に出力する。この時、管理室インターホン２からレベルが変わらずに入力された音声信号は、特定の音声信号であって抵抗Ｒ１を介するため、基準のゲインより小さいゲインで調整され、通話線Ｌ６１を介して住戸インターホン１に出力される。
【００４７】
住戸インターホン１は、通話制御装置４からの音声信号を受信すると、基準のゲインより小さいゲインで調整された音声信号を音声に換え、通話先である住戸インターホン１のハンドセット１１の受話部１１ｂから音声を出力する。この時、音声は、基準のゲインより小さいゲインで調整されたものであるとともに、ハンドセット１１の受話部１１ｂと居住者の耳とは離れていないため、居住者にそのまま適正な音声として聞こえる。
【００４８】
なお、管理室インターホン２と集合玄関インターホン３との間で通話を行う場合も、住戸インターホン１と集合玄関インターホン３との間で通話を行う場合とほぼ同様であり、音声信号は特定の音声信号ではないため、基準のゲインで調整される。
また、上述の実施の形態では、抵抗Ｒ１，Ｒ２を管理室インターホン２に対応する送受信回路４２側に設けた場合を示したが、送受信回路４２側に代えて、住戸インターホン１に対応する送受信回路４１側に設けてもよい。この場合も同様の効果を奏する。
【００４９】
このように、住戸インターホン１のハンドセット１１と管理室インターホン２のハンドセット２１との間で行われる通話の音声信号を特定の音声信号とし、両者１，２のハンドセット１１，２１同士の通話回路系に抵抗Ｒ１，Ｒ２を設けて、この回路系のゲインを、集合玄関インターホン３のハンドフリー３１と住戸インターホン１または管理室インターホン２のハンドセット１１，２１との間で行われる通話の回路系のゲインより小さくし、特定の音声信号を調整するようにしたので、各装置１，２，３の通話手段であるハンドセット１１，２１およびハンドフリー３１に合ったレベルの音量（音声）で良好な通話を行うことができる。また、通話制御装置４において送受信される音声信号を適正な音声信号に調整するので、各装置１，２，３に調整手段等を設けたり、各装置１，２，３を個々に調整する必要がなくなり、装置全体のコストアップを抑えることができるとともに、利用者等による煩雑な作業の無い操作性のよいインターホンシステム１０を得ることができる。
【００５０】
以上のように本発明の実施の形態について説明したが、本発明はこれに限定するものではなく、例えば以下の如く適宜変更することができる。
（１）上記の実施形態においては、住戸インターホン１および管理室インターホン２を、通話手段としてハンドセット１１，２１を有する装置の一例とし、また、集合玄関インターホン３を、通話手段がハンドフリー３１からなる装置の一例として説明したが、住戸インターホン１および管理室インターホン２を、通話手段がハンドフリーからなる装置の一例としてもよく、また、集合玄関インターホン３を、通話手段としてハンドセットを有する装置の一例としてもよい。つまりインターホンシステムを構成する住戸インターホン１、管理室インターホン２および集合玄関インターホン３の中にハンドセットからなる通話手段とハンズフリーからなる通話手段が混在していればよい。
【００５１】
（２）上記の実施形態では、住戸インターホン１、管理室インターホン２および集合玄関インターホン３がそれぞれ通話される場合を説明したが、住戸インターホン１，１同士も通話することが可能である。この場合は、通話線Ｌ６１に対応する送受信回路４１を複数設け、送受信回路４１の少なくとも１つに、通話線Ｌ６２に対応する送受信回路４２の回路系に設けられた抵抗等からなる回路を設けるようにし、ハンドセット１１，１１同士で通話を行った時に、送受信回路４１，４１を接続する回路系のゲインが基準のゲインより小さくなるように設定すればよい。なお、住戸インターホン１の中にハンドセットからなる通話手段と、ハンズフリーからなる通話手段を混在させてもよい。
【００５２】
（３）上記の実施形態では、ハンドセット１１，２１同士、あるいは、ハンドフリー３１とハンドセット１１または１２との間での通話について説明したが、ハンドフリー同士でも通話を行うことが可能である。この場合は、ハンドフリー同士を接続する回路系のゲインを基準のゲインより大きくなるように設定すればよく、各通話手段での通話に対応して値の異なる３つのゲインを設定できるようにしてもよい。
【００５３】
【発明の効果】
以上のように本発明に係るインターホンシステムは、通話手段としてハンドセットを有する装置と、通話手段がハンドフリーからなる装置と、ハンドセットを有する装置またはハンドフリーからなる装置に接続された通話線に対応する音声信号の送受信回路を有し、各装置間の通話を行う通話制御装置とからなるインターホンシステムにおいて、通話制御装置に、アドレス毎に通話手段の種別をまとめたデータベースを格納したメモリを設け、通話制御装置は、装置からアドレス情報を含む制御信号が入力されて、装置間の通話を行う時、メモリにより、通話の少なくとも一方にハンドフリーからなる装置があるか否かを判別し、ハンドセットを有する装置間同士の通話を行う時は、通話の少なくとも一方にハンドフリーからなる装置が存在する時よりも、送受信回路同士が接続される回路系のゲインを小さくするものである。
また、本発明に係るインターホンシステムは、通話手段がハンドフリーからなる装置同士を接続する回路系のゲインを、基準のゲインより大きく設定するものである。
さらに、本発明に係るインターホンシステムの装置は、集合住宅の各住戸に設置された住戸インターホン又は共同玄関に設置された集合玄関インターホンからなり、住戸インターホンの中に、ハンドセットからなる通話手段とハンドフリーからなる通話手段とを混在させたものである。
【００５４】
つまり、住戸インターホン、管理室インターホンおよび集合玄関インターホンのいずれのインターホン同士が通話を行っても、各インターホンが有する通話手段に合ったレベルの音量（音声）で良好な通話を行うことができる。また、通話制御装置において送受信される音声を適正な音量に調整するので、各インターホンに音量を調整する手段等を設けたり、設置時等において各インターホンを個々に調整する必要がなくなり、装置全体のコストアップを抑えることができるとともに、利用者等にとって操作性のよいインターホンシステムが得られる。
【図面の簡単な説明】
【図１】本発明が適用されるインターホンシステムの構成を示す系統図である。
【図２】本発明の実施の形態に係る通話制御装置の本発明の概念を示す模式図である。
【図３】本発明の実施の形態に係る住戸インターホンの正面図である。
【図４】本発明の実施の形態に係る集合玄関インターホンの正面図である。
【符号の説明】
１  住戸インターホン
２  管理室インターホン
３  集合玄関インターホン
４  通話制御装置
１０  インターホンシステム
１１，２１  ハンドセット
３１  ハンドフリー
４１，４２，４３  送受信回路
４４  マイコン
Ｓ１〜Ｓ８  接続回路
Ｒ１，Ｒ２  抵抗
Ｌ５１〜Ｌ５３  制御線
Ｌ６１〜Ｌ６３  通話線
【図１】
0003673935.tif 000002
【図２】
0003673935.tif 000003
【図３】
0003673935.tif 000004
【図４】
0003673935.tif 000005